(57)【要約】【課題】  幾つかの実施形態に適合した方法は、テレビプログラムの携帯型無線デバイス（ＰＷＤ）への携帯型配信を提供するものであって、ＰＷＤを用いて、テレビジョンが表示中のプログラムのサンプルを取得するステップと、サービスプロバイダが、前記テレビジョンが表示中の前記プログラムを特定できるように、前記取得したサンプルの属性を前記サービスプロバイダに送信するステップと、前記サービスプロバイダから無線送信機を介して、前記ＰＷＤで前記テレビプログラムを受信するステップと、を含む。別の実施形態がこの要約書に記載された属性から逸脱することになるので、この要約書は、限定的なものであると考えるべきではない。【選択図】図１１
2010517431.tif 000002
【特許請求の範囲】
【請求項１】
テレビプログラムの携帯型無線デバイス（ＰＷＤ）への可動配信を提供する方法であって、
ＰＷＤを用いて、テレビジョンが表示中のプログラムのサンプルを取得するステップと、
前記取得したサンプルの属性をサービスプロバイダに送信し、前記テレビジョンに表示されている前記プログラムを前記サービスプロバイダが、特定できるようにするステップと、
前記サービスプロバイダから無線送信機を介して、前記ＰＷＤで前記テレビプログラムを受信するステップと、
を含むことを特徴とする方法。
【請求項２】
前記取得したサンプルは、前記プログラムの少なくとも一つの音響、動画及び静止画のサンプルを含むことを特徴とする請求項１に記載の方法。
【請求項３】
前記属性は、取得したサンプルを含むことを特徴とする請求項１に記載の方法。
【請求項４】
前記属性は、表示された物体の縁、表示された物体、表示された物体の相対的大きさ、画像に表れているテキスト、ＧＰＳデータ及び音響サンプルを定義する情報のうち少なくとも一つを含むことを特徴とする請求項１に記載の方法。
【請求項５】
前記サービスプロバイダは、ＤＶＢＨ、ＤＭＢ及び携帯電話のインフラストラクチャのうち一つを含むことを特徴とする請求項１に記載の方法。
【請求項６】
前記サービスプロバイダは、互換性あるネットワークであるＣＤＭＡ２０００、ＩＥＥＥ８０２．１６によって構成されているグループから選択された携帯電話ネットワークを含むことを特徴とする請求項１に記載の方法。
【請求項７】
送信すべき前記プログラムのための命令を前記携帯型無線デバイスに送信するステップをさらに含むことを特徴とする請求項１に記載の方法。
【請求項８】
携帯電話ネットワークを介して、前記命令を送信するステップをさらに含むことを特徴とする請求項７に記載の方法。
【請求項９】
テレビジョンプログラムの前記無線通信を受信するステップは、携帯電話ネットワークを介して、高速データ通信を受信するステップを含むことを特徴とする請求項１に記載の方法。
【請求項１０】
前記ＰＷＤは、携帯電話、無線電話、個人携帯端末（ＰＤＡ）、パームトップコンピュータ、個人情報管理器及びゲーム機を含むことを特徴とする請求項１に記載の方法。
【請求項１１】
前記サンプルは、ＰＷＤの一部を形成するカメラを介して取得されることを特徴とする請求項１に記載の方法。
【請求項１２】
前記サンプルは、ＰＷＤの一部を形成する音響レコーダを介して取得されることを特徴とする請求項１に記載の方法。
【請求項１３】
プログラムされたプロセッサによって実行されるとき、請求項１による方法を実行する命令を格納するコンピュータ読み取り可能な記憶媒体。
【請求項１４】
テレビプログラムの携帯型無線デバイス（ＰＷＤ）への可動配信を提供する方法であって、
ＰＷＤを用い、ＰＷＤの一部を形成する音響又は動画レコーダによりテレビジョンが表示中のプログラムの音響、動画及び静止画のサンプルのうち一つを含む、音響又はビデオサンプルを取得するステップと
前記取得したサンプルの属性をサービスプロバイダに送信し、前記テレビジョンが表示中の前記プログラムを前記サービスプロバイダが、特定できるようにするステップと、
送信すべき前記プログラムのための命令を前記携帯型無線デバイスに送信するステップと、
前記サービスプロバイダから無線送信機を介して、前記ＰＷＤで前記テレビプログラムを受信するステップと、
を含むことを特徴とする方法。
【請求項１５】
前記属性は、前記取得したサンプルを含むことを特徴とする請求項１４に記載の方法。
【請求項１６】
前記属性は、表示された物体の縁、表示された物体、表示された物体の相対的大きさ、画像に表れているテキスト、ＧＰＳデータ及び音響サンプルを定義する情報のうちの少なくとも一つを含むことを特徴とする請求項１４に記載の方法。
【請求項１７】
前記サービスプロバイダは、ＤＶＢＨ、ＤＭＢ及び携帯電話のインフラストラクチャのうち一つを含むことを特徴とする請求項１４に記載の方法。
【請求項１８】
前記ＰＷＤは、携帯電話、無線電話、個人携帯端末（ＰＤＡ）、パームトップコンピュータ、個人情報管理器及びゲーム機を含むことを特徴とする請求項１４に記載の方法。
【請求項１９】
テレビジョンプログラムの配信を受ける携帯型無線デバイス（ＰＷＤ）装置であって、
テレビジョンが表示中のプログラムの音響、動画及び静止画のうち一つを含む音響又は動画サンプルを取得するＰＷＤの一部を形成する音響若しくは映像記録デバイスと、
第一サービスプロバイダがテレビジョンによって表示しているプログラムを特定できるように、前記取得したサンプルの属性を前記第一サービスプロバイダに送信する送信機と、
ＰＷＤにおいて、テレビジョン送信機から無線通信を介して、テレビジョンプログラムを受信する受信機と、
を含むことを特徴とするＰＷＤ装置。
【請求項２０】
前記送信機は、さらに、送信すべきプログラムのための命令を前記携帯型無線デバイスに送信することを特徴とする請求項１９に記載のＰＷＤ装置。
【請求項２１】
前記属性は、前記取得したサンプルを含むことを特徴とする請求項１９に記載のＰＷＤ装置。
【請求項２２】
前記属性は、表示されたオブジェクトのエッジ、表示されたオブジェクト、表示されたオブジェクトの相対的大きさ、画像に表れているテキスト、ＧＰＳデータ及び音響サンプルを定義する情報のうち少なくとも一つを含むことを特徴とする請求項１９に記載のＰＷＤ装置。
【請求項２３】
前記ＰＷＤは、携帯電話、無線電話、個人携帯端末（ＰＤＡ）、パームトップコンピュータ、個人情報管理器、及び、ゲーム機を含むことを特徴とする請求項１９に記載のＰＷＤ装置。
【請求項２４】
前記テレビジョン送信機は、前記第一サービスプロバイダの一部を含むことを特徴とする請求項１９に記載のＰＷＤ装置。
【請求項２５】
前記送信機は、第二サービスプロバイダの一部を含むことを特徴とする請求項１９に記載のＰＷＤ装置。
【請求項２６】
前記第一及び第二サービスプロバイダのうち少なくとも一つは、ＤＶＢＨ、ＤＭＢ、及び、形態インフラストラクチャのうち一つを含むことを特徴とする請求項２５に記載のＰＷＤ装置。
【発明の詳細な説明】
【技術分野】
【０００１】
本出願は、２００５年９月１９日に出願された米国特許出願番号第11/229,862号の一部継続出願であり、当該出願は、引用により本明細書に組み入れる。
【背景技術】
【０００２】
携帯型電子デバイスの能力は、最近の数年間での間に増大してきた。能力の増大に伴い、様々な態様の無線通信技術が出現した。その結果、パームトップコンピュータ、個人用整理手帳、移動式無線電話、娯楽デバイス、個人ゲーム機、その他同様なものの間の区分があいまいになり、重なってきている。ここでは、これらのデバイスを、総合的にも、個別的にも携帯型無線デバイス（ＰＷＤ）と呼ぶ。そのようなデバイスの能力が増大するに連れて、ＰＷＤは、急増し、人々は、そのようなデバイスを使うことに慣れ、常に持ち歩くようになった。人々は又、そのようなデバイスにいっそう向上した機能を要求するようになった。
【発明の概要】
【発明が解決しようとする課題】
【０００３】
本発明は、多くの異なる態様の実施形態によって実施できるものであるが、本発明は、詳細に特定された実施形態によって、図面に示され、ここに記載されており、そのような実施形態についてのここでの開示は、本発明の原理の例とみなされるべきであり、図面に示され、ここに記載された特定の実施形態に本発明を限定することを意図したものでないという理解のもとになされたものである。以下の詳細な説明において、参照番号は、図面の複数の表示において、同様の部分、類似の部分若しくは関連する部分を記載するために用いられる。
【０００４】
目的及び利点と共に構成と動作方法を説明するいくつかの例示的実施形態については、添付した図面に関連して以下に示された詳細な説明を参照することによって、最もよく理解することができるであろう。
【図面の簡単な説明】
【０００５】
【図１】本発明の幾つかの実施形態に適合する方法により、携帯型無線デバイス（ＰＷＤ）と無線通信をするテレビジョンシステムを示すブロック図である。
【図２】本発明の幾つかの実施形態に適合する方法により、図１のシステムの一処理の動作を表すフローチャートである。
【図３】本発明の幾つかの実施形態に適合する方法により、図１のシステムの一処理の動作を表す別のフローチャートである。
【図４】本発明の幾つかの実施形態に適合する方法により、プログラムルーティングサービス（ＰＲＳ）からテレビジョンプログラムを取得するＰＷＤを表す。
【図５】本発明の幾つかの実施形態に適合する方法により、図４のシステムの一処理の動作を表すフローチャートである。
【図６】本発明の幾つかの実施形態に適合する方法により、ＰＷＤと通信をするデジタル式ビデオ録画表示装置（ＰＶＲ）を示すブロック図である。
【図７】本発明の幾つかの実施形態に適合する方法により、図６のシステムの一処理の動作を表すフローチャートである。
【図８】本発明の幾つかの実施形態に適合する方法により、図６のシステムの一処理の動作を表す別のフローチャートである。
【図９】本発明の幾つかの実施形態に適合する方法により、別のＰＷＤと通信するＰＷＤを表すブロック図である。
【図１０】本発明の幾つかの実施形態に適合する方法により、図９のシステムの一処理の動作を表すフローチャートである。
【図１１】本発明の幾つかの実施形態に適合する方法により、ＰＷＤに送信することができないテレビジョンの代替的な実施形態のフローチャートである。
【発明を実施するための形態】
【０００６】
ここで用いられる“一”という語は、一又は一より大きいと定義される。ここで用いられる“複数の”という語は、二又は二より大きいと定義される。ここで用いられる“別の”という語は、少なくとも二番目又はそれより後のものと定義される。ここで用いられる、“含む”及び／又は“持つ”、という語は、備える（すなわち広義の用語）と定義される。ここで用いられる、“結合する”という語は、接続すると定義されるが、必ずしも直接的、機械的でなくてもよい。ここで用いられる“プログラム”という語は、二つの別の文意で用いられる。一番目の文意において、この語は、“テレビジョンプログラム”の意味で用いられる。この文意において、この語は、音響映像コンテンツの理路整然とした配列を意味するために用いられる。この音響映像コンテンツは、内容が映画、スポーツイベント、複数部分のシリーズの一部、ニュース番組であるかに関わらず、一つのテレビジョンプログラムとして、電子番組ガイドで翻訳され、放送されるものである。
【０００７】
二番目の文意において、このプログラムという語は、コンピュータシステムを実行するために設計された一連の命令として定義される。“プログラム”若しくは“コンピュータプログラム”は、コンピュータシステムを実行するために設計されたサブルーチン、機能、手順、オブジェクトメソッド、オブジェクト実行、実行可能なアプリケーション、アプレット、サーブレット、ソースコード、オブジェクトコード、共有ライブラリ／動的ロードライブラリ、及び／又は、その他の一連の命令を含むことができる。これらの語の意味は、本書における使用文脈から明らかであろう。
【０００８】
本書全体において、“一実施形態”、“幾つかの実施形態”、“実施形態”若しくは、それらの類義語は、実施形態に関連して記載された特定の特性、構造若しくは特徴が、本発明の少なくとも一つの実施形態に含まれることを意味している。したがって、そのような言い回しによる表現、若しくは、この発明の詳細な説明全体における様々な場所にある表現は、必ずしも全て同じ実施形態に言及しているわけではない。さらに、特定の形状、構造、若しくは、特徴は、いずれかの適切な方法で、非限定に一又はそれ以上の実施形態と結び付けることができる。
【０００９】
本発明に適合する実施形態を用いることによって対処する一つの問題は、ある移動式デバイスと別の固定式／移動式デバイスの間で内容の同期が取れていないことである。特に必要とされることは、ＰＷＤを用いるコンテンツの場所移動をいっそう直感的になるように改善することである。（この問題は、本発明に適合した実施形態によって対処される唯一の問題ではなく、かつ、この問題に対処することは、本発明に適合する全ての実施形態に要求されることではないことに注意すべきである。）以下のシナリオ、及び、本発明に適合する幾つかの実施形態によって提供される解決方法を検討する。
【００１０】
シナリオ＃１：
ジョーは、ジムでトレーニング中であり、ジムの大きな画面のＴＶで映画を見ている。映画は、“ティンバック２のトゥームレイダ”である。彼は、ジムでトレーニングを終え、ジムを出ることができる状態にあるが、この映画の気がかりなエンディングを見逃したくない。ジョーの選択肢は？
（ａ）映画の残りを見るためだけに、ジムにもっと長く留まる。
（ｂ）ジムを出て、映画の残りを見逃す。
（ｃ）（例えば、ティンバック３のトゥームレイダ”ではなく）、映画“ティンバック２のトゥームレイダ”が、彼の携帯電話で受信できる放送電波で放送されているかどうか、及び、どこで放送されているか、を知ることができるならば、ジムを出て、（例えば、ＤＶＢ−Ｈの地上放送波で受けて、）携帯電話で映画を見ることを試みる。
【００１１】
本発明に適合した幾つかの実施形態を用いて、ジョーは、携帯電話（若しくは、別のＰＷＤ）でＴＶを選び、携帯電話のキーを押し、その後、携帯電話が又、その画面に“ティンバック２のトゥームレイダ”の表示を開始する。この実施形態においては、携帯電話は、ＴＶからではなく、映画と互換性ある地上放送から映画を受信する。別の実施形態においては、ＴＶが予め記録されたコンテンツを放映している場合には、
デジタル著作権管理（ＤＲＭ）の要求事項があれば、該要求事項をコンテンツ及びジョーの携帯電話が満たしているものと仮定して、ＴＶからジョーの携帯電話、若しくは、別の携帯デバイスにリアルタイムより早く、実際のコンテンツをダウンロードできる。（予め記録されたコンテンツについての同様な事例の概要が、シナリオ＃３に記載されている。）“ティンバック２のトゥームレイダ”が、携帯電話によって（地上波、若しくは、３Ｇ通信などを介して）受信できない場合には、ジョーは、コンテンツが携帯電話によってアクセス可能でないことを知らされるか、或いは、ジョーは、このコンテンツをプレミアム３Ｇ若しくは放送内容として、携帯電話（若しくは別のデバイス）のコンテンツプロバイダから有償で受信する意思があるか否かについて、尋ねられる。
【００１２】
シナリオ＃２：
メアリーは、（ＤＶＢ−Ｈ、３Ｇ、ＤＭＢ（移動式デバイスのためのデジタルマルチメディア衛星放送）、通常の地上ＴＶ放送などを介して、）仕事から家に帰る途中のバスにおいて、携帯電話によって、生のニュース放送を見ている。家に入ると、彼女は、より大きい画像と向上した音響性能の利点を持ったリビングルームのＴＶでニュースを見続けたいと思う。この実施形態においては、メアリーは、単に携帯電話でＴＶを選ぶだけである。これに応答して、ＴＶの電源が入り、メアリーが携帯電話で見ていた生のニュース番組の表示を開始する。
【００１３】
シナリオ＃３：
子供が、リビングルームのＴＶでアニメを観ている。これらのアニメは、ＰＶＲ（デジタル式ビデオ録画表示装置として既に知られている個人ビデオ録画表示装置）により、以前の放送から予め記録されたものである。しかしながら、母親は、買い物をする必要があり、子供を連れて行かなければならない。しかし、子供は、アニメを観ることをせがむ。
【００１４】
このような状況において、本発明に適合した一実施形態によると、母親は、携帯電話でＴＶ（若しくは、ＰＶＲ）を選び、キーを押す。このことによって、ＰＶＲのアニメのコンテンツが彼女の携帯電話に同期させられる（この事例では、すばやくダウンロードさせられる）。彼女は、子供をバンの後ろの席に乗せ、携帯電話でバンのビデオ娯楽ディスプレイを選び、携帯電話の別のキーを押し、携帯電話のコンテンツを自動車のビデオシステムに同期させて、（この事例では、ダウンロードするが、携帯電話からリアルタイムでストリームさせることも可能である）子供のためにアニメの表示を続ける。
【００１５】
同様のシナリオが、映像のない音楽、若しくは、音響のない映像でも可能であることに認識すべきである。また、子供が、数秒もアニメから離れられない場合には、子供がリビングルームからバンに向かって歩いている間に、母親は、子供にそのコンテンツを観せることもできる。
【００１６】
上記のシナリオにおいて、どのような移動式デバイス（すなわち、ＰＷＤ）であっても、携帯電話（例えば、個人ビデオゲーム機、若しくは、パームトップコンピュータを用いてもよい。）の代わりに、これらの移動式デバイスを、主デバイスとして、及び、二次的デバイスとして、用いることができる。したがって、移動式デバイス同士間の“同期”も又、起きることがある。幾つかのＤＲＭ（デジタル著作権管理）の支援のための解決方法が可能であるが、ＤＲＭは、本明細書の範囲外であるため、ここでは記載しない。多くの別のシナリオが可能であり、本発明に適合した実施形態から外れることなく、友人のＴＶ上に映された家庭用ビデオを共有したり、家庭用ＴＶ／ＰＶＲなどのカムコーダからコンテンツを同期したりすることができる。幾つかの好ましい実施形態においては、同期のために“目的のデバイスを選び”、適当なユーザインターフェースの適切なスイッチを操作することだけで、転送が実行される。すなわち、上述のシナリオで概要を示したように、場所を移動した際には、継ぎ目なくコンテンツをユーザに提供できることが好ましい。したがって、ここに開示されている様々な例示的な実施形態について言えば、“テレビジョンシステム”という用語は、広い意味を持つものとして、使用されており、テレビ放送を受信するか、テレビジョンのコンテンツ、テレビジョンに類似したもののコンテンツ、或いは、その他の音響映像、音響若しくは映像のコンテンツを表示するデバイスを、限定的でない幾つかの例として挙げるとすると、この用語は、ＰＶＲ、ビデオカセットレコーダ、デジタル多用途ディスク（ＤＶＤ）表示装置、カムレコーダ、テレビジョンセット、及び、テレビジョンセットトップボックスデバイスを幅広く含むものである。
【００１７】
本書の目的において、あらゆる適切な携帯型無線デバイス（ＰＷＤ）を、上記のシナリオで記載された移動式デバイスのように、利用することができる。そのようなデバイスの例としては、幾つか名称を挙げると、携帯電話、無線電話、個人携帯端末、パームトップコンピュータ、及び、個人情報管理器、ゲーム機などがある。
【００１８】
ここで、図１を参照すると、全体として上述した動作をするシステムの一実施形態がブロック図の形式で示されている。このシステムにおいては、テレビジョンシステム２０が、例えば、シナリオ番号１において上述した方法と類似の方法で、携帯型無線デバイス２２と通信する。この実施形態においては、テレビジョンシステム２０は、ケーブル、若しくは、衛星通信の受信のために用いられるもののように、テレビジョン受信機を、テレビジョンセット、デジタル式ビデオ録画表示装置（ＰＶＲ）、テレビジョンセットトップボックス（ＳＴＢ）のいずれかの形態で含むことができる。そのようなテレビジョン受信機が、上述したテレビジョンシステム２０において、ブロック２６として表現されている。本発明に適合した実施形態から外れることなく、テレビジョンシステム２０は、同様に、複数の相互接続した独立の要素からなるシステムとすることができ、若しくは、一又はそれ以上のハウジングの組み合わせ内に収容することができる。テレビジョン受信機２６は、例えばバス２８を介して、テレビジョンシステム２０の動作を監視する中央処理装置（ＣＰＵ）３０に接続されている。一つのバスがこの図において描かれているが、本技術分野における当業者は、本記載を考慮して、ここに記載されているようなテレビジョンシステム２０を動作させるために、複数のバス及び複数のプロセッサを利用してもよいことを理解するであろう。
【００１９】
ＣＰＵ３０は、バス２８を介してメモリ３２と通信する。さらに、ＣＰＵ３０は、無線送信機３４及び無線受信機３６の動作を制御し、それらに対するデータの送受信を管理する。テレビジョンシステム２０は、ユーザがテレビジョンシステムと相互作用することを可能にする一又はそれ以上のユーザインターフェース３８を包含する。後で明らかにされるように、メモリ３２は、中央処理装置３０に利用されるオペレーティングシステム及びその他の動作命令、並びに電子プログラミングガイド（ＥＰＧ）データを含むことができる。テレビジョンシステム３４の無線送信機は、携帯型無線デバイス２２と、デバイス２２の無線受信機４０を介して通信する。同様に、テレビジョンシステム２０は、無線受信機３６を介して、携帯型無線デバイス２２の無線送信機４２と通信する。ＰＷＤ２２は、同様に、中央処理装置４４を含み、該中央処理装置４４は、一又はそれ以上のバス４８を介して、動作メモリ５２、並びに、音響回路５４、ディスプレイドライバー５６、及び、ディスプレイ６０に接続されている。
【００２０】
本発明に適合したある態様の実施形態においては、メモリ５２は、記憶技術の組み合わせを含むことができ、この組み合わせは、ランダムアクセスメモリ（ＲＡＭ）とフラッシュメモリ、若しくは、ディスク型記憶装置と、例えばリードオンリーメモリ（ＲＯＭ）デバイスのようなその他の態様の記憶装置を含むことができるが、これらに限定されるものではない。特定の実施形態においては、メモリ５２は、後に記載されるようにコンテンツ供給機からダウンロードされるコンテンツを記憶するために用いられる。
【００２１】
図示した例においては、携帯型無線デバイス２２は、携帯電話若しくは他の無線電話デバイスに取り付けすることができ、その場合には、電話回路６４が又、ＰＷＤ内に存在し、中央処理装置の制御下で動作する。また、携帯型無線デバイス２２内には、ユーザインターフェースが存在し、このユーザインターフェースは、携帯型無線デバイス２２のユーザと相互作用するために適切なユーザインターフェース６８とすることができる。
【００２２】
したがって、幾つかの実施形態に適合した携帯型無線デバイス（ＰＷＤ）は、ＰＷＤからの無線による要求を送信する送信機を備えており、その要求は、受信デバイスによって現在受信されているテレビジョンプログラムに関連する情報を特定するプログラムに対する要求を含む。受信機が、情報を特定するプログラムをＰＷＤに配信するための、受信デバイスからの応答を受信する。テレビジョンプログラムを受信するためのＰＷＤと互換性のある無線の源は、特定用情報を用いて特定される。送信機は、ＰＷＤから、テレビジョンプログラムのための命令を、特定した無線の源に送信する。ＰＷＤは、特定した源からテレビジョンプログラムの無線送信を受信する。
【００２３】
幾つかの実施形態に適合した携帯型無線デバイス（ＰＷＤ）は、ＰＷＤにおいてテレビジョンプログラムの無線送信を受信する受信機、及び、ＰＷＤによって現在受信されているテレビジョンプログラムに関係する特定用情報に対する要求を受信する無線受信機を備える。無線送信機は、ＰＷＤによって現在受信されているプログラムを特定する特定用情報を含む応答を送信する。
【００２４】
幾つかの実施形態に適合したテレビジョンデバイスは、テレビジョン受信システムによって現在表示されているテレビジョンプログラムに対する要求を含む要求を、無線デバイスから受信する無線受信機を備える。プロセッサが、テレビジョン受信システムによって現在表示されているテレビジョンプログラムを検索する。無線送信機は、無線デバイスが現在受信中のテレビジョンプログラムを送信する。
【００２５】
幾つかの実施形態に適合したテレビジョン受信デバイスは、プログラムを特定する送信情報によって特定された指定テレビジョンプログラムに同調するための要求を含む命令を無線デバイスから受信する無線受信機を備える。テレビジョン受信デバイスが利用できる入手可能なテレビジョンプログラミングのための情報を有する電子プログラムガイド（ＥＰＧ）が、検索される。プロセッサが、指定プログラムを特定する情報をＥＰＧ情報と関連付け、指定プログラムを伝送しているチャネルを特定する。テレビジョンチューナは、特定したチャネルに同調させる。ＩＰＴＶ（インターネットプロトコルテレビジョン）による場合のように、テレビジョンをチューナーなしで実施するためには、テレビジョンは、特定したチャネルに対応するマルチキャスト／ブロードキャストＩＰストリームを選択するか、若しくは、ストリームがマルチキャスト／ブロードキャストされていないならば、サービスプロバイダからの適合したＩＰストリームの送信を要求する。
【００２６】
幾つかの実施形態に適合した別のテレビジョンデバイスは、テレビジョン受信システムによって現在受信されているテレビジョンプログラムに関連する電子プログラムガイド（ＥＰＧ）情報に対する要求を含む要求を無線デバイスから受信する無線受信機を備える。プロセッサが、テレビジョン受信システムによって現在受信されているテレビジョンプログラムを特定するＥＰＧ情報を検索する。無線送信機は、現在受信されているテレビジョンプログラムを特定するＥＰＧ情報を無線デバイスに送信する。
【００２７】
デバイス２０及び２２からなる対を動作させる一つのモードが、８４で開始するプロセス８０として、図２に示されている。８４において、テレビジョンシステムは、既に進行中であるテレビジョンプログラムを表示しているとみなされる。携帯型無線デバイス２２のユーザが、携帯型無線デバイス２２で進行中であるプログラムの受信の開始を希望する場合には、該ユーザは、ユーザインターフェース６８から適切なコマンドを起動し、８６において、ＰＷＤ２２が、要求をテレビジョンシステムに送る。テレビジョンシステムは、９０においてこの要求を受け取り、９２において、テレビジョンシステムが、現在表示中のプログラムについての電子プログラミングガイド（ＥＰＧ）データを受信する。次いで、９６において、テレビジョンシステムは、メモリ３２に格納される電子プログラムガイドデータを、無線送信機３４を介してＰＷＤ２２の無線受信機４０に送る。
【００２８】
この点において、携帯型無線デバイス２２は、電話回路送信機若しくは無線送信機４２を経由する移動式無線通信機能を利用して、テレビジョンシステム２０から受信したＥＰＧデータによって特定されたプログラムの源を探す。ＰＷＤ２２は、１００において、テレビジョンプログラムのための可能性のある多くの源のうちいずれかの源である、プログラムの源を探し当てることができる。特定は、同一のテレビジョンプログラム名、その他の識別子（例えばＶＣＲ＋コード等）を特定することによって行うことができる。例を挙げると、これらに限定されるものではないが、ＤＶＢ−Ｈ、ＤＭＢ、或いは、携帯用インフラストラクチャ、例えば、ＣＤＭＡ２０００若しくは８０２．１６等を、１００において所望したプログラミングのための源として利用することができる。１００において、プログラムの源が探し当てられると、ＰＷＤ２２は、（一以上の源が特定されたと仮定した場合には、）ユーザにプログラムの源に関する選択肢を提示する。１０４において、選択肢が、ユーザに提示された状態で、ユーザは、１０６において、ユーザインターフェースを介して選択肢を選択する（か、若しくは、選択肢が一つだけの場合には、１０６においてその選択肢が、ユーザに向けて表示される）。１０６において、特定される選択肢がない場合には、１１０において、携帯型無線デバイスに対して利用可能なコンテンツがないという適切なエラー表示によってユーザに知らせて、プロセスを終了する。
【００２９】
１０６において選択肢を選択した後、１１４において、ＰＷＤ２２は、テレビジョンプログラムに対する費用情報を（費用情報がある場合には、）検索する。１１６において、ＰＷＤは、費用情報がある場合には、承認のために、費用情報をユーザに表示する。１２０において、ユーザが続行を選択しない場合には、１１０において、プロセスは終了する。しかしながら、１２０において、ユーザが、続行を選択した場合には、１２４において、（関係ある場合には、すなわち、プログラムがペイパービュー方式のプログラム、若しくは、ビデオオンデマンド方式のプログラムの場合には）ＰＷＤは、プログラムの現在表示する位置を計算する。次いで、１２８において、ＰＷＤ２２は、ＶＯＤのために現在の表示位置で開始するプログラムコンテンツのストリームを要求する。非ＶＯＤコンテンツに対しては、ＰＷＤ２２とテレビジョンコンテンツとは、（例えば、リアルタイムのニュース放送、若しくは、プログラミングによって提供されるネットワークのような）同じ源によって生成されているので、近似的に同期することができる。１３２において、ＰＷＤは、一実施形態においては、現在表示されている位置で開始するテレビジョンプログラムのストリームの受信を開始し、若しくは、別の実施形態においては、テレビジョンプログラムのダウンロードを受信する。１３６において、ＰＷＤは、プログラムに戻って、表示を開始する（か、若しくは、別の実施形態においては、後で回復するためにプログラムを格納する）。
【００３０】
上述のプロセス８０においては、ユーザは、ＰＷＤ２２のユーザインターフェースを介して、単にテレビジョンシステム２０をＰＷＤ２２上で選んで、ユーザインターフェースの指定の制御を動作させるだけで、テレビジョンシステム上で表示するプログラムの転送、若しくは、同時表示をすることができる。このようにして、ＰＷＤ２２は、無線送信機４２を利用して、電子プログラムガイド情報をテレビジョンシステム２０から転送することを開始する。テレビジョンシステム２０は、無線受信機３６を介して、そのような情報に対する要求を受信し、次いで、無線送信機３４を利用して、ＥＰＧ情報を無線受信機４０に送信する。この点において、既に説明したように、ＰＷＤ２２は、ＰＷＤ２２と互換性のあるテレビジョンプログラムの代替としての源を特定することができる。次いで、ユーザの制御のもとで、携帯型無線デバイス２２は、選択したテレビジョンプログラムのストリーミング通信、若しくは、後で表示するためにＰＷＤのメモリ５２にあるプログラムをダウンロードの受信を開始することができる。
【００３１】
プロセス８０において、ユーザは、テレビジョンシステムから、電話又はパームトップコンピュータのような携帯型無線デバイスに向けて、表示の転送を効果的に行うことができる。このことは、例えば、友人の家に行くために、テレビジョンシステム２０のある位置から離れようとするユーザにとって便利である。しかしながら、ユーザが目的地に到着した時点で、より大きな形態のビデオディスプレイを利用して、テレビジョンプログラムの残りを続けて楽しむことができるようにすることも又、望ましい。したがって、ユーザは、同様の処理を利用して、テレビジョンプログラムの特定用情報を移動式無線デバイスからより大きな形態のテレビジョンシステムに転送することを望むことになる。そのような転送を実行するための処理の一例が、１５２において開始する図３のプロセス１５０として示される。
【００３２】
１５２においてＰＷＤ２２が既に進行中のプログラムを表示しているが、テレビジョンシステム上でこのテレビジョンプログラムを楽しみ始めることを望むとする。このことを達成するために、１５４において、ユーザは、ＰＷＤを目的のテレビジョンシステム（２０のような）を選び、無線送信機４２を介して、テレビジョンシステム２０の無線受信機３６に命令を送信する。１５４において送信されたこの命令は、テレビジョンシステムがプログラムの表示を開始するように命令する。１５８において、テレビジョンシステムは、コマンドを認識するか、若しくは、１６２において、エラーメッセージを生成して、テレビジョンシステムが命令を認識しなかったことをユーザに知らせる。命令が認識されると、１６４において、動作の継続は、テレビジョンシステム２０がスタンバイモードであるかによって決まる。スタンバイモードの場合には、１６８において、テレビジョンシステムに電源を入れる。しかしながら、１６４において、テレビジョンシステムに既に電源が入っている場合には、１６８において、電源を入れることは、必要でなく、飛ばされる。
【００３３】
次いで、ＰＷＤ２０は、１７２において、無線送信機を介して、現在表示しているプログラムに関連したプログラムガイドデータを送信する。この情報は、無線受信機３６によって、受信される。ＣＰＵ３０の制御の下で、テレビジョンシステム２０は、電子プログラムガイドデータを検索し、どのようなプログラミングが、現在、テレビジョンシステム上で利用可能であるかを判断する。次いで、テレビジョンシステムは、１８０において、対応するプログラムを求めて、ＥＰＧデータを検索する。１８４において、対応するプログラムが見つからなかった場合には、１６２において、テレビジョンシステム若しくは携帯型無線デバイスのどちらか一方、或いは、両方にエラーメッセージを表示する。
【００３４】
１８４において、対応するテレビジョンプログラムが見つけられた場合には、１８６において、プログラムを見るために料金が必要か否かの判断をテレビジョンシステム２０によって行う。料金がかからない場合には、１８８において、テレビジョンシステムは、プログラムに同調させ、可能ならば、現在のプログラムの位置で表示を開始する。一実施形態においては、ＰＷＤは又、１９０において、プログラムの表示を中断するか、若しくは、ユーザが人為的にプログラムの表示を終了する。
【００３５】
サービスプロバイダが、追加料金なく、いつでも一つだけのデバイスで（例えば、テレビジョンのみか、若しくは、ＰＷＤでいずれの任意の時間において、並びに、両方同時ではなく）プログラムを見ることを許可する場合には、そして、ユーザが、両方のデバイスで同時に見るために追加のチャージを払うことを望まない場合には、テレビジョンシステム２０は、事実上、ＰＷＤ２２から表示を引き継ぐことができる。
【００３６】
１８６において、料金が必要な場合には、テレビジョンシステム２０は、ユーザに費用情報を提示し、１９２において、料金が承認されるか否かを尋ねる。ユーザが、料金を承認しない場合には、１９６において、制御は１５２に戻る。しかしながら、ユーザが料金を承認する場合には、既に記載したように、次に、制御は１８８に進む。
【００３７】
したがって、図３、４の方法によると、テレビジョンプログラムの携帯型無線デバイス（ＰＷＤ）への可動配信を提供するための方法は、テレビジョン受信システムが現在受信中であるテレビジョンプログラムに関連する電子プログラムガイド（ＥＰＧ）情報のための要求を含むＰＷＤからの要求をテレビジョン受信システムに送信するステップと、ＥＰＧ情報をＰＷＤに配信する応答をテレビジョン受信システムから受信するステップと、ＥＰＧからの特定用情報を用いてテレビジョンプログラムを受信するためにＰＷＤと互換性ある源を特定するステップと、ＰＷＤから特定の信号源にテレビジョンプログラムのための命令を送信するステップと、信号源からＰＷＤへのテレビジョンプログラムの無線送信を受信するステップと、を含む。
【００３８】
幾つかの実施形態においては、無線通信を受信するステップは、テレビジョンプログラムのダウンロード及びストリーミング送信のうちの一つを受信するステップを含むように構成された変形態様を実現することができる。別の実施形態においては、ＴＶ受信機は、テレビジョンセット、デジタル式ビデオ録画表示装置（ＰＶＲ）、及び、テレビジョンセットトップボックスの一つとすることができる。ＰＷＤと互換性のある源は、例えば、ＤＶＢＨ、ＤＭＢ、及び、携帯用インフラストラクチャの一つとすることができる。ＰＷＤと互換性ある源は、携帯用インフラストラクチャからなり、この携帯用インフラストラクチャは、例えば、ＣＤＭＡ２０００、若しくは、ＩＥＥＥ８０２．１６とすることができる。特定するステップは、特定用プログラム特定部を含むテレビジョンプログラムの源を特定するステップを含むことができる。要求を送信するステップは、無線信号をＰＷＤからテレビジョンシステムに送信するステップを含むことができる。命令を送信するステップは、携帯電話のインフラストラクチャを介して命令を送るステップを含むことができる。テレビジョンプログラムの無線送信を受信するステップは、携帯電話のインフラストラクチャを介して、高速データ送信を受信するステップを含むことができる。
【００３９】
テレビジョンプログラムの携帯型無線デバイス（ＰＷＤ）への可動配信を提供するための別の方法は、ＰＷＤが現在受信中のテレビジョンプログラムに関連するテレビジョンプログラムの情報を含む命令を、テレビジョン受信システムがＰＷＤから受信するステップと、テレビジョン受信機が利用可能なチャンネルに関する電子プログラムガイド（ＥＰＧ）データを検索するステップと、ＥＰＧ内にあるテレビジョンプログラムの入力情報を特定するために、テレビジョンプログラム情報を用いて、テレビジョンプログラムを提供するテレビジョン受信機に利用可能なチャンネルを特定するステップと、テレビジョン受信機を、特定されたテレビジョンプログラムに同調させるステップと、テレビジョン受信機において特定したテレビジョンプログラムを受信するステップと、を含む。
【００４０】
幾つかの実施形態においては、ＴＶ受信機は、テレビジョンセット、デジタル式ビデオ録画表示装置（ＰＶＲ）の一つである。チャンネルを特定するステップは、ＥＰＧデータとＰＷＤから送信されたデータとを比較して、特定用プログラム特定部を持つテレビジョンプログラムのチャネルを特定するステップを含むことができる。命令を受け取るステップは、ＰＷＤからテレビジョンシステムにｍｍＷａｖｅ、赤外線、若しくは、ラジオ周波数（ＲＦ）通信を用いている無線信号を受信するステップを含む。
【００４１】
ここで、図４を参照すると、本発明に適合した変形形態が示されている。この実施形態においては、携帯型無線デバイス２２（前述した携帯型無線デバイス２２に性質が類似している）は又、（図１のテレビジョンシステム２０に性質が類似している）テレビジョンシステム２０と通信する。しかしながら、この実施形態においては、ＰＷＤ２２は、テレビジョンシステム２０に対してＥＰＧデータを要求し、既に記載した方法と類似の方法で、ＥＰＧデータが、テレビジョンシステム２０から携帯型無線デバイス２２に供給される。ＰＷＤ２２が、現在表示中のテレビジョンプログラムに対するＥＰＧデータを取得すると、ＰＷＤは、プログラムルーティングサービス２００からのプログラムに対する命令を送る。プログラムルーティングサービス２００は、命令を受信し、ケーブル若しくは衛星テレビジョンサービスプロバイダから、（或いは、テレビジョンプログラムの地上放送、若しくは、その他の源から）テレビジョンプログラムを取得し、次いで、プログラムを直接的に携帯型無線デバイス２２に提供する。実際に、プログラムルーティンサービスは、サービスをＰＷＤ２２に供給するために、サービスプロバイダ２０４に加入するか、若しくは、無線電話サービスプロバイダに加入することができる。
【００４２】
図４には明示的に示されていないが、逆向きの処理も又可能であり、その場合には、命令によって、携帯型無線デバイスがＥＰＧデータをテレビジョンシステム２０に送り、テレビジョンシステム２０が対応するテレビジョンプログラムをケーブル、若しくは、衛星（若しくは別の）テレビジョンサービスプロバイダ２０４から確保する。
【００４３】
このように、本発明に適合した一実施形態においては、テレビジョンプログラムの携帯型無線デバイス（ＰＷＤ）への可動配信を提供するための方法は、テレビジョン受信システムによって現在受信中のテレビジョンプログラムに関連する電子プログラムガイド（ＥＰＧ）情報に関する要求を含む要求を、ＰＷＤからテレビジョン受信システムに送信するステップと、ＥＰＧ情報をＰＷＤに配信する応答をテレビジョン受信システムから受信するステップと、ＥＰＧ情報をルーティンサービスプロバイダ（ＲＳＰ）に送信するステップと、ＰＷＤからＲＳＰにテレビジョンプログラムに関する命令を送信するステップと、ＲＳＰからテレビジョンプログラムの無線通信を受信することによって、テレビジョンプログラムをＲＳＰがプログラムプロバイダから取得するステップと、を含む。
【００４４】
ここで、図５を参照すると、テレビジョンシステムが、すでに進行中のプログラムを表示する場合における、２１２で開始する図４に示されるシステムの動作のより詳細なプロセス２１０が記載されている。２１６において、ユーザが、ＰＷＤ２２においてテレビジョンシステム２０を選び、ＥＰＧデータをＰＷＤに送信することを、ＰＷＤ２２のユーザインターフェースを介してテレビジョンシステムに要求する。テレビジョンシステム２０は、次いで、２２０において、要求を受信し、２２４において、現在のプログラムのためのＥＰＧデータを検索する。次いで、テレビジョンシステムは、２２８において、現在のプログラムに対する電子プログラミングガイドデータをＰＷＤ２２に送信する。
【００４５】
ＰＷＤ２２が、現在のプログラムのためのＥＰＧデータを取得すると、ＰＷＤ２２は、２３２において、このＥＰＧデータをプログラムルーティングサービス２２０に送り、プログラムを携帯型無線デバイス２２に回送するように命令することができる。テレビジョンプログラムのルーティングサービスは、ケーブル、衛星、ＩＰＴＶ（インターネットプロトコルテレビジョン）サービス２０４、若しくは、別のものからプログラムを受信する。テレビジョンプログラムをＰＷＤ２２に回送することに関連する費用が発生する場合には、２４０において、ＰＲＳ２００は、ＰＷＤに無線送信を介して、費用のデータを送信することができる。（別の実施形態においては、プログラムの回送は、認可、若しくは、別の手段によって、提供することができる。）携帯型無線デバイスが、指定の料金でプログラミングを受信するという希望を確認できない場合には、プロセスは、２５０において終了する。そうではなく、２４４において、ユーザがテレビジョンプログラムの受信の希望を確認する場合には、制御は２５４に移り、ここで、ＰＲＳは、ケーブル会社からプログラムを受信し、２６０において、携帯型無線デバイスのディスプレイに表示できるようにプログラムを再フォーマットする。
【００４６】
幾つかの実施形態においては、ＰＲＳ２００は、コンテンツを携帯型無線デバイス２２にストリーム若しくはダウンロードすることができる。ストリームを用いる場合には、制御は、２６４に移動し、携帯型無線デバイスは、ＰＲＳからのテレビジョンプログラムを含む情報のストリームを受信する。コンテンツをダウンロードするときには、何らかの形態のＤＲＭ（デジタル著作権管理）を、２７０において行い、その後で、ＰＲＳが、２７４においてプログラムをＰＷＤにダウンロードすることが必要になる場合がある。ＤＲＭ／コピー保護の様々な形態も又、コンテンツ、及び、実施の詳細に応じて、ストリームされたコンテンツのために用いることができる。
【００４７】
本発明に適合したさらに別の実施形態においては、図６に示すように、２２のような携帯型無線デバイスは、既にビデオ録画表示装置に記録されたプログラミングコンテンツのダウンロードを取得することができる。さらに、ＰＷＤは、プログラミングをビデオ録画表示装置に転送することができる。記録媒体は、通常は、ハードディスドライブ、その他のデジタル媒体であるので、ビデオ録画表示装置は、多くの場合には、デジタル式ビデオレコーダとして呼ばれる。ビデオ録画表示装置から携帯型無線デバイス２２へのダウンロードを取得するプロセス３００は、プログラムをＰＶＲから表示している３０４において開始する図７のプロセス３００として表示されている。無線携帯型デバイス２２は、現在のプログラムのための要求をＰＶＲに送る（か、若しくは、別の実施形態においては、携帯型無線デバイスは、３０８において、適切なユーザインターフェースを介して特定することができる選択したプログラムのための要求をＰＶＲに送る）。ＰＶＲは、３１２において、要求を受信し、３１６において、必要ならば、ＤＲＭの管理機能を実行する。ある実施形態においては、ユーザが、３２０において、携帯型無線デバイス２２にダウンロードする前に、テレビジョンプログラムを再フォーマットすべきか否かを判断する。ある実施形態においては、格納場所を携帯型無線デバイスに確保するためにプログラムを再フォーマット（すなわち、翻訳若しくは符号変換）することが有利である。移動式無線デバイスは、ＰＶＲから直接情報を表示するために用いられるものよりも小さいディスプレイをもつことが多いので、再フォーマットすることによって、十分なメモリの節約を達成することができる。しかしながら、別のビデオ録画表示装置に格納することができるように、再フォーマットをしていないコンテンツのコピーを取得することが望ましい場合がある。ＴＶが、ＰＶＲの代理として動作することも可能であること注意すべきである。この場合には、ＰＷＤは、ＴＶと相互作用し、ＴＶは、ＰＶＲの代わりにＰＷＤに情報を表示する。
【００４８】
ユーザがコンテンツを再フォーマットすることを選択した場合には、制御は、３２４に移動し、ＰＶＲが、プログラムの残りを（若しくはプログラム全体を）携帯型無線デバイスによる表示のために、再フォーマットする。次いで、制御は３２８に移る。３２０において、再フォーマットを選択しなかった場合にも又、制御は３２８に移り、ここで、ＰＶＲは、高速無線接続を介して、プログラムを携帯型無線デバイスにダウンロードする。携帯型無線デバイスは、次いで、後で表示するためにプログラムを格納するか、若しくは、すぐに３３４において、プログラムの表示を始める。
【００４９】
図８は、要求が携帯型無線デバイスからＰＶＲに送信され、プログラムが携帯型無線デバイスからダウンロードされるという反対の動作を示す。３５８において、プログラムが、現在表示中である場合には、制御は、３６２に進み、ＤＲＭの制御プロセスを起動することができる。次いで、プログラムは、３６４において携帯型無線デバイスからＰＶＲにダウンロードすることができる。３５８において、プログラムが現在表示されていない場合には、３６８において、ユーザにメニューが表示されるか、若しくは、別のユーザインターフェースによって、ユーザが、ダウンロードするプログラムを選択することを可能にする。次いで、３７２において、ＤＲＭ管理機能を実行し、３８０において、プログラムを携帯型無線デバイスからＰＶＲにダウンロードする。図８のプロセス３５０には明示的に示されていないが、再フォーマットの動作も又、プロセス３００において提示された方法と同様の方法で選択肢として、提示される。
【００５０】
ここで、図９を参照すると、本発明に適合したある実施形態においては又、情報、若しくは、プログラム自身を特定するプログラムを、ある移動式無線デバイスから別のものに転送することが可能である。図９は、ＰＷＤ２０のような移動式無線デバイスＡ、及び、ＰＷＤ４２０のような移動式無線デバイスＢを表す。この実施形態においては、両デバイスは、少なくとも記載された機能を実行し、互換性あるプロトコルを用いて通信することができるという点で、性質が似ている。この機能を実行するために用いられるプロセスは、図１０のプロセス４３０として、描かれている。このプロセスは、４３４において開始され、メッセージが、移動式無線デバイスＡから移動式無線デバイスＢに送信され、共通のテレビプログラムにおいて、同期することを要求する。４３８において、移動式無線デバイスＢは、メッセージを認識するか、若しくは、４４２において、エラーメッセージを生成する。通信のための受信が完了し、通信の最初のハンドシェイク動作が二つの移動式無線デバイス間で達成された時点で、移動式無線デバイスＢは、移動式無線デバイスＡとの同期についての要望を表明するか、若しくは、４５０において、エラーメッセージを生成し、同期処理を終了する。移動式無線デバイスＢが、４４６において、同期要求を受け取る場合には、二つの選択肢のうち一つを実行することができる。一つ目の選択肢は、４５４において、ＤＲＭ管理機能を実行し、移動式無線デバイスＡは、テレビプログラムを、直接移動式無線デバイスＢに高速無線インターフェースを介して送るものである。二つ目の選択肢を利用する場合には、４６２において、プログラムの認識情報を移動式無線デバイスＡから移動式無線デバイスＢに送る。必要がある場合には、４６６において、ＤＲＭ機能を実行することができ、その後、移動式無線デバイスＢが、４６２及び４７０において、受信したプログラムの特定用情報を利用して、移動式無線デバイスによって用いられる同じ源からプログラムを検索する。この方法によって、一組の移動式無線デバイスを同期することができ、同じテレビプログラム（若しくは別のコンテンツ）を受信することができる。したがって、二人の人が同じプログラムを観ることを望んだ場合には、彼らは、（複数の視聴者による不愉快に小さく、及び／又は、両ユーザに音響プログラムを提示することの問題を示すであろう）移動式無線デバイスの同じスクリーンの共有をする必要がない。
【００５１】
したがって、幾つかの実施形態によると、同期したコンテンツの配信を複数の携帯型無線デバイス（ＰＷＤ）に提供する方法は、第一ＰＷＤから第二ＰＷＤに同期メッセージを送信し、第一ＰＷＤによって表示されているコンテンツの受信の同期を要求するステップと、情報を特定する黙示的、若しくは、明示的な信号源を含むプログラム特定用情報を第一ＰＷＤから第二ＰＷＤに送信するステップと、コンテンツに対する命令を、第二ＰＷＤから情報を特定する源によって特定される源に送信するステップと、コンテンツの通信を特定した源から第二ＰＷＤにおいて受信するステップと、を含む。コンテンツは、ダウンロード、若しくは、ストリームによって送信することができ、コンテンツは、テレビプログラム、音響若しくは映像、或いは、別の音響映像のコンテンツとすることができる。
【００５２】
別の実施形態においては、コンテンツを複数の携帯型無線デバイス（ＰＷＤ）に同期させる方法は、無線同期メッセージを第一ＰＷＤから第二ＰＷＤに送信し、第一ＰＷＤによって表示されているコンテンツとの同期を要求するステップと、第一ＰＷＤ及び第二ＰＷＤの一方から第一ＰＷＤ及び第二ＰＷＤの他方にコンテンツを送信することによって、コンテンツを同期させるステップと、を含む。
【００５３】
したがって、上述したように、テレビプログラム、その他のコンテンツは、音響若しくは映像、或いは、その両方とすることができ、また、携帯型にすることができ、ユーザは、所望するならば、見ることを邪魔されることなくプログラムを場所から場所へと持ち運ぶことができる。
【００５４】
本発明と適合したシステムの典型的な実施形態案は、４つの主たる要素／機能を持つ。
（ａ）指向性があって、（理想的には、）視界線上にある移動式デバイス上の無線送信機／受信機
（ｂ）指向性があるか、若しくは、ほぼ全方位であって、（理想的には、しかし、必ずしも必要ではないが、）視界線上にある固定デバイス（例えば大きな画面のＴＶ）上の送信機／受信機（若しくは、要素（ａ）の二番目の例）
（ｃ）上述の無線送信機／受信機（Ｔｘ／Ｒｘ）は、低速でも高速でもよい。低速の場合には、加えて、別個の高速無線Ｔｘ／Ｒｘを移動式デバイス及び固定デバイスに用いることができる。これらの高速デバイスは、指向性があるか、若しくは、ほぼ全方位性であってもよい。
（ｄ）全てのデバイス間の通信プロトコル。共通の、好ましくは、標準化されたプロトコルを確立し、デバイス間の無線リンク確認し、同期中に、観測されたプログラム上の情報（例えば、名前、チャンネルなど）を交換し、必要な場合には、実際のＡＶ（音響−映像）内容を交換する。その上、通信プロトコルは又、デバイスの所有者によって可能な場合には、個人性／秘密性のための認証／暗号、及び／又は、暗号を利用するＤＲＭを、任意に実行する。
【００５５】
本発明に適合した一実施形態を以下に記載する。固定デバイス（例えば、ＴＶ）は、ｍｍＷａｖｅ（例えば、６０−８０ＧＨｚ）の無線ＲＦ技術を用いる、ほぼ全方向の無線送信機／受信機を備える。例えば、適切なホーンアンテナを用いてほぼ全方位性を実現し、４５度のビーム幅を提供する。ほぼ全方位性は、同期中においては、ユーザにとってＴＶ（若しくは、ＰＶＲのようなその他の基本要素）として理想的であり、（そのために、移動式デバイスをＴＶの無線ビームに“位置合わせする”ことが、非常に困難になることはなく、同時に、ＴＶが、ＴＶの後方といった誤った方向から来る信号を受信するほど、幅広くはない。）
【００５６】
ミリメータ波（ｍｍＷａｖｅ）技術は、高速（〜Ｇｂｐｓ）処理を比較的低いビット当たりの電力消費で実現し、減衰は８０２．１１ｘ技術よりある程度大きく、したがって、ｍｍＷａｖｅにとって、他のデバイスからの干渉と不慮の“プライバシーの侵害”を制限する。暗号化できない場合には、プライバシーの侵害を防ぐことは、いくつかの状況において重要である。干渉は、アンテナの方向性によっても制限でき、アンテナの方向性は、放出され、受信されたＲＦエネルギーの方向の幅を制限する。このＲＦエネルギーの方向の幅が、これらの波長における物体に対する高い反射率にも関わらず伝播を制限する。その上、送信電力を減少させることによって、このアプリケーションに対するＲＦの伝播距離が縮小する。
【００５７】
ｍｍＷａｖｅ技術はまた、移動式デバイスにおいても実施されるが、通常の場合には、より指向性がある（アンテナのビーム幅がより狭い）。このことによって、ユーザが、同期のために、一又はそれ以上の目的のデバイスから正確に選択することが可能となる。また、移動式デバイスが移動可能であるので、ユーザは、一又はそれ以上の目的のデバイスの中から正確に選択することが可能になる。
【００５８】
ｍｍＷａｖｅを使用する場合には、理想的には、Ｔｘ及びＲｘは、同期させられる二つのデバイス間の初期通信／ハンドシェイクの両方だけでなく、記述のシナリオにおいて説明したように、デバイス間における高速データ（コンテンツ）転送が必要とされる場合には、このデバイス間における高速データ（コンテンツ）転送にも使用される。
【００５９】
同期させられようとしているコンテンツが、生コンテンツの場合には、この実施形態においては、コンテンツの記述要素（プログラム名、チャネル）のみを送信することができる。受信デバイスは、チャネル、若しくは、同じコンテンツを持つ別のチャネルを探し、そこから受信しようとする。したがって、関連する受信方法に適したＥＰＧ情報を、一方又は両方のデバイスを用いて、利用することができる。
【００６０】
異なるデバイスは、そのコンテンツについて、異なる源を探し当てることがある点に注意すべきである。例えば、大きな画面のＴＶは、ケーブルＨＤＴＶ若しくは衛星放送を介して、内容を受信することができる。別のデバイスは、同じコンテンツを地上ＳＤＴＶ放送上に探し当てることができるが、携帯電話、若しくは、別のＰＷＤは、同じコンテンツをＤＶＢ−Ｈ、ＳＤＴＶ地上放送、ＳＤＴＶ衛星、若しくは、３Ｇ通信上で、捜し当てることができる。
【００６１】
予め記録されたコンテンツの同期中に、二つのデバイスの機能に応じて、コンテンツを、符号変換及び／又は翻訳することができ、また、ユーザの好みによっても上書きすることができることも認識すべきである。
【００６２】
幾つかの状況においては、両方のデバイスが現在コンテンツを表示中である場合があり得るので、“ｓｙｎｃｈ”ボタンを押した移動式デバイスに対して、現在視聴中の目的のデバイスからのコンテンツに同期させるのか、或いは、移動式デバイスで現在見ているコンテンツを目的のデバイスのものと同期させるのか、を移動式デバイスに伝えることが、必要であるか、若しくは、望ましいであろう。例えば、このことは、移動式デバイスの矢印キーを用いることで達成できる。（上向き矢印は、“ユーザから離れる”ことを、従って、コンテンツを移動式デバイスから目的のデバイスに転送することを示し、下向き矢印は、“ユーザに近づく”ことを、従って、コンテンツを目的のデバイスから移動式デバイスに転送することを示す。）
【００６３】
上述の例で用いられる無線技術は、ｍｍＷａｖｅに基づいている。しかしながら、その選択肢のみではなく、本発明は、その実施形態に限定して考えるべきではない。適切な指向性のＵＷＢ（超広帯域）若しくは、自由空間光通信技術を、広帯域かつ低干渉の実施方法として、代わりに用いることができる。自由空間光通信は、指向性が厳格であるため、ユーザに、高度な要求をすることとなり、若干好ましくはないが、しかし、このことは又、潜在的に、高い機密性を要求するアプリケーションをより安全にする。全方向性の実装形態（例えば、ＵＷＢ、その他の８０２．１１ｘに対する全方向性アンテナ）が用いられる。この実装形態は、コンテンツを４〜５秒以上ダウンロード／アップロードするために、ユーザがいずれかの方向に（例えば、長いすに）携帯電話／移動式デバイスを向けることを可能にするが、ユーザによっては、大きなコンテンツのために必要な期間の全体にわたり、移動式デバイスを目的のデバイスに向けて、持つことに疲労を感じることになるであろう。ｍｍＷａｖｅ（例えば、６０ＧＨｚ）の実装形態における１Ｇｂｐｓのデータレートでは、２．５時間のＳＤ ＭＰＥＧ−２映画をダウンロードするために３０秒かかる。Ｈ２６４圧縮を用いると、これを１０秒に減少させることができる。８０２．１１ｘのようなその他の無線技術を用いることもできるが、これらは、たとえ指向性がないことを以下のように補償したとしても、別のＲＦデバイス（別の８０２．１１ｘデバイスを含む）からの干渉に関する、潜在的に大きな問題があるので、一般的にあまり好ましくない。光学メカニズム、若しくは、選択的な指向性ＲＦビームによって、空間的な配列、（目的のデバイスに対する）見通し線の条件、及び、実際の内容を通信するための８０２．１１ｘ、全方向ＵＷＢ、若しくは、別の全方向無線の方法を決定する。
【００６４】
ＵＷＢの全方向実施形態を単独の無線技術としても用いることができる。この場合には、互いに向かい合わせるよう他方に十分近づけて、デバイス間で同期を取る。これは一つの許容できる実装形態であるが、常に目的のデバイスの近くにいることは、可能ではないので、ここで提案される実装形態は、必ずしも理想的ではないであろう。
【００６５】
この発明の幾つかの実施形態に適合するものとして、移動式デバイスが、ＴＶシステムからのコンテンツと同期することは可能であるが、逆は必ずしも成立しない簡略化された実装形態がある。これは、以下に示すように動作する。ＴＶシステムは、（前に言及した一又はそれ以上の無線技術を用いて、）連続して、現在ＴＶで表示されているプログラムに対するＥＰＧ情報を送信する。ＴＶからこのＥＰＧは、“聴用”移動式デバイスが存在するか否かに関わらず、送信される。移動式デバイスを持つユーザが、ＴＶ付近にいる場合には、ユーザは、自分の移動式デバイスに放送用ＥＰＧ情報を受信させ（“嗅ぎ取り”させ）、ハンドシェイク、若しくは、移動式デバイスからＴＶに向けられた通信なしで、それと同期をさせることができる。そのような実装形態は、例えば、バー内、道路上などにある公共で視聴するテレビシステムにとって、特に有用である。
【００６６】
ここに記載されている携帯電話を含む多くの移動式デバイスは、フラッシュメモリ、若しくは、ＨＤＤを用いて、すでに４＋Ｇｂｙｔｅの格納スペースを持ち、そのような移動式デバイスの記憶装置は、本発明の記載した全ての実施形態を実施するために適しており、そのような記憶装置は、市場が拡大すると共に、絶え間なく増加していることを認識すべきである。
【００６７】
特定の実施形態においては、公共の場にＴＶのデバイス、若しくは、別のデバイスを設置する所有者は、メニュー型“有効／無効”、若しくは、例えば、“正しい信頼性キーを持つ移動式デバイスに対してのみ、同期を許す”というような条件の選択肢を用いて、デバイスを同期させるかを制限することができ、そうするならば、どちらの（若しくは両方の）方向に同期を起こすかを制限することができることも認識すべきである。
【００６８】
上述したシナリオ＃３では、（例えば、）携帯電話のような移動式デバイスは、ディスプレイがコンテンツを格納する必要がなく、リアルタイムで別のディスプレイに任意にストリームすることができるモードについて手短に言及した。このモードは、携帯電話、若しくは、別のＰＷＤのバッテリーに対して、より大きな負担を掛け、携帯電話のバッテリーが枯渇しつつある場合には、理想的ではないであろう。しかしながら、携帯電話のバッテリーの能力が適切である場合には、（若しくは、主電源を携帯電話に電力供給するために用いる場合には、）携帯型デバイスは、リアルタイムにＳＤ、若しくは、ＨＤ解像度で、直接ディスプレイ（例えば、自動ディスプレイ、大きな画面のＴＶなど）にストリームすることができる。そのようなモードは、コンテンツが常に携帯電話上にあると考えることができ、コンテンツの転送に関するＤＲＭの問題を単純化することができる。全ての別の例においては、コンテンツは、音響映像コンテンツとすることができ、音響のみ、若しくは、映像のみであってもよいことに注意すべきである。この場合において、移動式デバイスは、移動式コンテンツの記憶装置にも表示機にもなるが、無線ストリームのためにも用いることができ、ディスプレイを分離することもできる（及び／又は、音響表示機を分離することもできる）。コンテンツの格納のための費用が急落し、格納能力が急速に増大しているので、大容量のコンテンツ（つまり、ＡＶコンテンツの潜在的に大きなライブラリ）のような移動式“個人商店”は、次第に実現性を増している。そのような実装形態において、ＤＲＭが問題となる場合には、コピー保護、及び、ＤＲＭの観点から、非圧縮であるが、暗号化されたコンテンツが、圧縮して暗号化したコンテンツよりも安全であるので、（例えば、ＨＤＣＰで）符号化された“基本情報”（非圧縮）のコンテンツを用いて、移動式デバイスから外部ディスプレイにコンテンツを送信するという利益があり得る。提案した無線通信技術（ｍｍＷａｖｅ、自由空間光学、及び、ＵＷＢ）は全て、ある条件の下で、ＨＤの非圧縮コンテンツさえ送信する望ましいデータレートである１＋Ｇｂｐｓのデータレートに対応していることに注意すべきである。
【００６９】
コンテンツをＴＶと同期させ、このコンテンツを移動式デバイスを介して表示する前に、ＴＶの“電源を入れる”必要はない。“スタンバイ”状態にあるＴＶが、以前からあるリモコンを用いて、起動できるように、全く同様の方法によって、ＴＶとの同期を開始することにより、ＴＶの電源を入れることができる。ＴＶの無線部分を、移動式デバイスから最初に受ける信号を監視する低い電力状態で保持することができる。その信号により、無線部分が、電子デバイスの更なる問い合わせ及びＴＶ全体の潜在的な電力のための高い電力状態を入力する。
【００７０】
ここに開示される実施形態は、興味あるコンテンツとしてのテレビジョンプログラムに関して開示さていれるが、別の実施形態であっても可能である。例えば、一組の移動式音楽表示機が考えられる。第一音楽表示機（例えばＭＰ３表示機）は、現在表示している選択したものに関する特定用情報を第二音楽表示機に送信する。このとき、第二音楽表示機は、無線の源からの特定用情報に基づいて、源からダウンロード若しくはストリームを受信することができるように記載されたこれらのプロセスに類似するプロセスを用いる。適切な源及び目的の適切な代替物によって、フローチャートに示されたいずれかのプロセスが、音響コンテンツ、若しくは、純粋な映像コンテンツにとって、適切なものに変更することができる。本開示を合理的な範囲で簡潔にするために、各々の可能性あるシナリオを各々のフローチャートのプロセスによって表示することはしていない。代替として、上述したプロセス及びデバイスを採用するために用いることができる多くの候補の網羅的な概要を、以下の表に示す。
【００７１】
【表１】
2010517431.tif 000003
【００７２】
別の組み合わせも本発明に適合した実施形態から外れることなく可能である。
【００７３】
本発明に適合した幾つかの実施形態においては、テレビジョンは、何らかの理由のためにＰＷＤに送信することができないことがある。この実施形態においては、テレビジョンは、自身のプログラムの情報にアクセスできないという理由のため、及び／又は、テレビジョンは、既に記載した実施形態によって用いられるように無線通信を実施できないという理由のため、プログラムを記載した情報は、ＴＶから移動式デバイスに上述の方法で送ることはできない。この場合において、テレビジョンに表示されているプログラムを、ＴＶによらないで、つまり、携帯電話及び携帯ネットワークによって、特定する。
【００７４】
この実施形態においては、携帯電話（若しくは、別の移動式デバイス）は、テレビジョンによって表示されているプログラムの写真、短い映像、若しくは、音響のサンプルを取得するために用いられる。次いで、携帯電話、若しくは、別のＰＷＤは、写真、映像、若しくは、音響のサンプルに対して、画像処理を実行し、縁、物体、相対的大きさ、テキスト、音響、及び／又は、同様の情報のような情報の属性を抽出する。次いで、この情報は、ネットワークサービスプロバイダに送信される。ここでは、同時に放送されるか、若しくは、そうでなければ、様々なテレビジョンの源によって提供される映像コンテンツの類似する特性のデータベースと情報を比較し、移動式デバイスを介して、ネットワークが、移動式デバイスに送信し始めることが可能なマッチングした一連のプログラミングを特定する。本実施形態の変形において、生の未処理ビデオ、及び／又は、音響を、サービスプロバイダに送信することができ、全ての処理が、処理用リソースを用いて、サービスプロバイダにおいて、行われる。
【００７５】
マッチングプロセスを促進するために、移動式受話器は又、ＴＶのプログラムのデジタル化した音響のような情報（移動式デバイスは、構築したマイクロフォンを用いて、音響を記録する。）、及び、移動式受話器のＧＰＳ、若しくは、別の位置情報を提供する。
【００７６】
代替として、移動式受話器での計算要求を減少させるために、携帯ネットワークのサービスノードで（つまり、サービスプロバイダで）上述したような動作の幾つかを行う。マッチングは、静止画単独、動画単独、音響単独、若しくは、これら三つのいずれかの組み合わせのマッチングに基づいて行うことができる。
【００７７】
ここに記載されている全ての実施形態は、メインＴＶからＴＶを表示する能力がある移動式デバイスにコンテンツを同期させて、実行するだけでなく、一方の移動式ビデオデバイスから他方のビデオデバイスに同期させて実行する。
【００７８】
ここで、図１１を参照すると、本発明に適合した例としてのプロセスの実施形態を示すフローチャート５００が、示されており、フローチャート５００は、５０２において開始する。５０４において、動画、静止画、音響、ＧＰＳデータ、及び／又は、その他のデータが、図１のＰＷＤ２２の一部として５０６又は５０８を形成している回路を記憶する映像、音響、ＧＰＳを用いて、得られる映像、音響若しくはＧＰＳデータによって取得される。次いで、（ＰＷＤ２２のこの例において、）取得したデータを、５１２において、処理することができ、重要な属性（例えば、縁、物体、相対的大きさ、テキスト、音響、及び／又は、同様の情報）を抽出する。５１６において、処理された属性をサービスプロバイダに送信することができる。次いで、サービスプロバイダは、５２０において、テレビジョンが現在中のプログラムを特定するために、これらの属性とローカルソースから送信される属性ような、コンテンツの動的データベース又は有名なフィルムと照合する。５２４において、マッチしない場合には、５２８において、メッセージをＰＷＤ２２に送信して、マッチしないことを示すことができ、プロセスは、５３０において、終了する。しかしながら、５２４において、マッチしている場合には、５３２において、サービスプロバイダからＰＷＤ２２にマッチしていることを示すメッセージが送信される。次いで、５３６において、ＰＷＤ２２は、コンテンツに対する命令を認識し、サービスプロバイダは、５３０において終了するまで、５４０において、ＰＷＤにコンテンツをストリーミングする（か、そうでなければコンテンツを送る）ことを開始する。いずれかの適切な支払い方法をこのプロセスに蓄積する。さらに、要素５１２及び５１６をすぐに交換することができ、取得した情報の全ての処理が、サービスプロバイダで実行される。
【００７９】
特定の実施形態においては、ＰＷＤ２２の位置を特定するＧＰＳデータは、ある地理的領域内にある放送、ケーブル、若しくは、衛星を介して利用可能なものまでプログラミングの存在する可能性を狭めて、探索を単純化する。その上、５１２において実施される画像処理は、ネットワーク認識部のような特定可能な透かしのための取得したデータ、及び、プログラムの特定を助けるようなオンスクリーンディスプレイ（ＯＳＤ）データの探索を含むことができる。
【００８０】
したがって、いくつかの実施形態に適合した方法は、携帯型無線デバイス（ＰＷＤ）にテレビプログラムの可動配信を提供するものであって、ＰＷＤを用いてテレビジョンが表示中のプログラムのサンプルを取得するステップと、テレビジョンが表示中のプログラムを特定することができるサービスプロバイダが取得したサンプルの属性を送信するステップと、サービスプロバイダから無線通信を介してＰＷＤにおいて、テレビプログラムを受信するステップと、を含む。
【００８１】
幾つかの実施形態においては、取得したサンプルは、プログラムの音声、動画、及び、静止画のサンプルのうち少なくとも一つを含む。幾つかの実施形態においては、属性は、取得したサンプルを含む。幾つかの実施形態においては、属性は、表示した物体の縁、表示した物体、表示した物体の相対的な大きさ、画像に表れるテキスト及び音響サンプルを定義する情報のうち少なくとも一つを含む。幾つかの実施形態においては、サービスプロバイダは、ＤＶＢＨ、ＤＭＢ及び携帯用インフラストラクチャのうち一つを含む。幾つかの実施形態においては、サービスプロバイダは、互換性あるネットワークであるＣＤＭＡ２０００、及び、ＩＥＥＥ８０２．１６を構成しているグループから選択される携帯電話ネットワークを含む。幾つかの実施形態においては、プログラムに関する命令が、移動式無線デバイスに送信される。幾つかの実施形態においては、命令が、携帯電話ネットワークを介して送信される。幾つかの実施形態においては、テレビジョンプログラムの無線通信を受信するステップは、携帯電話ネットワークを介して高速データ通信を受信するステップを含む。幾つかの実施形態においては、ＰＷＤが、携帯電話、無線電話、個人携帯端末（ＰＤＡ）、パームトップコンピュータ、個人情報管理器、及び、ゲーム機を含む。幾つかの実施形態においては、サンプルが、ＰＷＤの一部を形成するカメラを介して取得される。幾つかの実施形態においては、サンプルは、ＰＷＤの一部を形成する音響記録機を介して取得される。コンピュータ読み取り可能な記憶媒体は、命令を実行することができ、その命令が、プログラムされたプロセッサに実行されるとき、本発明に適合したいずれかのプロセスを実行する。
【００８２】
幾つかの実施形態においては、携帯型無線デバイス（ＰＷＤ）にテレビジョンプログラムの可動配信を提供する方法は、取得したサンプルが、プログラムの音響、ビデオ及び静止画のうちの一つを含むものであり、ＰＷＤを用いて、ＰＷＤの一部を形成する音響又は映像サンプルを用いてテレビジョンが表示中のプログラムの音響又は映像サンプルを取得するステップと、テレビジョンが表示中のプログラムを特定することができるサービスプロバイダが取得したサンプルの属性を送信するステップと、送信されるべきプログラムのための命令を携帯型無線デバイスに送信し、ＰＷＤでサービスプロバイダから無線通信を介してテレビジョンプログラムを受信するステップと、を含む。
【００８３】
幾つかの実施形態においては、属性が、取得したサンプルを含む。幾つかの実施形態においては、属性が、表示した物体の縁、表示した物体、表示した物体の相対的な大きさ、画像に表れるテキスト、ＧＰＳデータ、及び、音響サンプルを定義する情報のうち少なくとも一つを含む。特定の実施形態においては、サービスプロバイダが、ＤＶＢＨ、ＤＭＢ、及び、携帯用インフラストラクチャを含む。幾つかの実施形態においては、ＰＷＤが、携帯電話、無線電話、個人携帯端末（ＰＤＡ）、パームトップコンピュータ、個人情報管理器、及び、ゲーム機を含む。
【００８４】
幾つかの実施形態においては、テレビジョンプログラムの配信を受信する携帯型無線デバイス（ＰＷＤ）装置が、テレビジョンによって表示されているプログラムの音響、若しくは、映像サンプルを取得するＰＷＤの一部を形成している音響、若しくは、映像の記録デバイスを備え、取得したサンプルは、プログラムの音響、映像、ＧＰＳデータ、及び、静止画のサンプルのうちの少なくとも一つを含むことを特徴とする。送信機は、取得したサンプルの属性をサービスプロバイダに送信し、サービスプロバイダは、テレビジョンによって表示されているプログラムを特定することができる。受信機は、ＰＷＤでテレビジョンの送信機から無線通信を介してテレビジョンプログラムを受信する。幾つかの実施形態においては、表示されているプログラムを特定するサービスプロバイダが、ＰＷＤに送信するテレビジョン送信機を提供するサービスプロバイダと異なってもよいが、別の実施形態においては、両方の機能を一つのサービスプロバイダが実行することができる。
【００８５】
幾つかの実施形態においては、送信機が、さらに、送信すべきプログラムに関する命令を携帯型無線デバイスに送る。幾つかの実施形態においては、属性が、取得したサンプルを含む。幾つかの実施形態においては、属性が、表示した物体の縁、表示した物体、表示した物体の相対的な大きさ、画像に表れるテキスト、ＧＰＳデータ、及び、音響サンプルを定義する情報のうち少なくとも一つを含む。幾つかの実施形態においては、サービスプロバイダが、ＤＶＢＨ、ＤＭＢ及び携帯用インフラストラクチャを含む。幾つかの実施形態においては、ＰＷＤが、携帯電話、無線電話、個人携帯端末（ＰＤＡ）、パームトップコンピュータ、個人情報管理器、及び、ゲーム機を含む。
【００８６】
本技術分野における当業者は、上述の教示を考慮することにより、上述の実施形態による例の幾つかは、ＣＰＵ３０、及び、ＣＰＵ４４のようなプログラムされたプロセッサの利用に基づいていることが認識できるであろう。しかしながら、本発明は、そのような典型的な実施形態に制限されず、特別な目的のハードウェア、及び／又は、専用のプロセッサのようなハードウェア要素と同等なものを用いて、別の実施形態を実施することができる。同様に、一般的な目的のコンピュータ、マイクロプロセッサを基礎としたコンピュータ、マイクロコントローラ、光学コンピュータ、アナログコンピュータ、専用コンピュータ、アプリケーション特定回路、及び／又は、専用ハードワイヤード論理を、代替として同等の実施形態を構築するために用いることができる。したがって、本発明に適合した実施形態を実装するときに用いられるいずれかの要素の実装形態を、ハードウェア、ソフトウェア、ファームウェアの間で区別すべきではない。
【００８７】
本技術分野における当業者は、上述の教示を考慮することにより、上述した実施形態のいくつかを実行するために用いられるプログラムの動作、プロセス、関連するデータを、例えば、リードオンリーメモリ（ＲＯＭ）デバイス、ランダムアクセスメモリ（ＲＡＭ）デバイス、ネットワークメモリデバイス、光学記憶素子、磁性記憶素子、磁性光学記憶素子、フラッシュメモリ、コアメモリ、及び／又は、同等の揮発性記憶技術、並びに、同等の不揮発性記憶技術のような別の形態の記憶装置、並びに、ディスク型記憶装置を用いて、本発明の特定の実施形態から外れることなく、実行することができる。そのような代替の記憶デバイスを、一般的に、メモリ３２及びメモリ５２を用いて表現することができ、議論した代替のものは、本書の目的に関して同等なものであると考えるべきである。
【００８８】
ここに記載した特定の実施形態は、先にフローチャートの形態で広範に記載したプログラミング命令を実行するプログラムされたプロセッサを用いて実行され、若しくは、実行することができる。その命令を、適切な電子的、若しくは、コンピュータ読み取り可能な記憶媒体に記憶することができ、かつ／又は、適切な電子通信媒体を介して送信することができる。しかしながら、本技術分野の当業者は、本教示を考慮することにより、上述のプロセスを、多くの変形、及び、多くの適切なプログラミング言語で、本発明の実施形態から外れることなく、実行することができる。例えば、本発明の特定の実施形態から外れることなく、実行されるある動作の命令を、多くの場合において、変更することができ、新たな動作を追加することができ、若しくは、動作を消去することができる。エラートラッピングを追加し、かつ／又は、向上することができ、本発明の実施形態から外れることなく、ユーザインターフェース、及び、情報表示により変更をすることができる。そのような変更は、考慮された範囲内のものであり、均等と考えられる。
【００８９】
特定の説明のための実施形態を記載したが、多くの代替、修正、置換、変更が、前述の記載を参考にすることにより、本技術分野の当業者にとって自明であることは、明らかである。
【図１】
2010517431.tif 000004
【図２】
2010517431.tif 000005
【図３】
2010517431.tif 000006
【図４】
2010517431.tif 000007
【図５】
2010517431.tif 000008
【図６】
2010517431.tif 000009
【図７】
2010517431.tif 000010
【図８】
2010517431.tif 000011
【図９】
2010517431.tif 000012
【図１０】
2010517431.tif 000013
【図１１】
2010517431.tif 000014
【国際調査報告】
2010517431.tif 000015